(57)【要約】【課題】  収納されている電池の管理がし易い壁面設置型電気機器を提供する。【解決手段】  非常用電源としての電池１７の残容量を判定する制御部１９及び判定結果を表示するＬＣＤ１１及び報音するスピーカ１２を有し、制御部１９は電池１７の残容量が所定量以下になったと判定したら、ＬＣＤ１１にその旨を表示させ、スピーカ１２からアナウンスを報音させる。また制御部１９は電池１７が収容されていなければそれを認識してＬＣＤ１１に表示させスピーカ１２から報音させる。【選択図】  図１
2019110636.tif 000002
【特許請求の範囲】
【請求項１】
駆動電源或いは非常用電源としての電池が組み込まれている壁面設置型の電気機器であって、
前記電池の残容量を判定する電源判定部、及び判定結果を通知する通知部として表示部及び報音部の少なくとも一方を有し、
前記電源判定部は、前記電池の残容量が所定量以下になったと判定したら、前記通知部によりその旨を通知させることを特徴とする電気機器。
【請求項２】
前記電池は非常用電源として使用されるもので、前記電源判定部は、前記電池が収容されていなければそれを認識し、前記通知部においてその旨を通知させることを特徴とする請求項１記載の電気機器。
【請求項３】
電気機器ケースの電池収容部は、前記通知部と共に前記電気機器ケースの前面に配置されて、前方から電池交換が可能であることを特徴とする請求項１又は２記載の電気機器。
【請求項４】
前記電池収容部は蓋部材により施蓋され、前記蓋部材は、弾性を有して前記電気機器ケースへの係止／係止解除操作が容易な係止片を有することを特徴とする請求項３記載の電気機器。
【請求項５】
前記電池収容部は、前記電気機器ケースに開口部を設けて形成されると共に、前記電気機器ケースは収容する電池より薄く形成される一方、
前記電池収容部の背部となる壁面は、切り欠かれて穴が形成されて成り、
前記電池収容部に収容された電池の一部が、前記穴に入り込んで収容されることを特徴とする請求項４記載の電気機器。
【請求項６】
前記電池収容部は、前記電気機器ケースに凹部を設けて形成されると共に、前記電気機器ケースは収容する電池より薄く形成される一方、
前記電池収容部の背部となる壁面は、切り欠かれて穴が形成されて成り、
前記凹部の一部が前記穴に入り込むよう後方に突出して形成され、電池の一部が前記穴を使用して収容されることを特徴とする請求項４記載の電気機器。
【請求項７】
前記蓋部材の係止片は、前記電気機器ケースの内部方向にＵ字状に突出形成された弾性部を有し、前記電池収容部には前記弾性部を収容する空間を有することを特徴とする請求項４乃至６の何れかに記載の電気機器。
【発明の詳細な説明】
【技術分野】
【０００１】
本発明は、壁面に設置して各種操作を行うリモコンや各種情報を表示する表示機器等の電気機器に関し、特に電池が組み込まれた壁面設置型の電気機器に関する。
【背景技術】
【０００２】
壁面に設置して使用されるリモコンや表示機器等の電気機器では、駆動電源に電池を使用したり、停電でも使用可能とするために非常用電源として電池を組み込んだものがある。
例えば、特許文献１に開示されたワイヤレスリモコンでは、電源としての電池が液晶表示部を備えたケース前面の下部に形成された凹部に収納され、凹部は電池カバーで施蓋されて電池が露出しないよう構成されている。
【先行技術文献】
【特許文献】
【０００３】
【特許文献１】特開２００９−７９８４９号公報
【発明の概要】
【発明が解決しようとする課題】
【０００４】
上記従来のケース前面に電池収容部を設けた構成は、ケース前面から電池の交換が可能であり、電池交換のためにケースを取り外す必要はなかった。しかしながら、電池の残容量がわからなかったため、正常に動作しなくなった時点で交換していた。そのため、交換する電池を用意していない場合が多く、電池交換するまで使用できない状態が発生した。
また、停電等非常時のために組み込まれている電池の場合、停電が発生しない限り電池の状態が把握できなかったため、商用電源を使用した通常使用状態では電池自体が組み込まれていなくてもそれを把握できなかった。
【０００５】
そこで、本発明はこのような問題点に鑑み、組み込まれている電池の管理がし易い壁面設置型の電気機器を提供することを目的としている。
【課題を解決するための手段】
【０００６】
上記課題を解決する為に、請求項１の発明は、駆動電源或いは非常用電源としての電池が組み込まれている壁面設置型の電気機器であって、電池の残容量を判定する電源判定部、及び判定結果を通知する通知部として表示部及び報音部の少なくとも一方を有し、電源判定部は、電池の残容量が所定量以下になったと判定したら、通知部によりその旨を通知させることを特徴とする。
この構成によれば、電池の容量が少なくなったらそれが通知されるため、交換時期を認識でき電池管理がし易い。
【０００７】
請求項２の発明は、請求項１に記載の構成において、電池は非常用電源として使用されるもので、電源判定部は、電池が収容されていなければそれを認識し、通知部においてその旨を通知させることを特徴とする。
この構成によれば、電池の有無が目視で確認できない状態であっても、電池が無ければそれが通知されるため、停電等非常時になって電池が組み込まれていないことに初めて気づくような事態を防止できる。
【０００８】
請求項３の発明は、請求項１又は２に記載の構成において、電気機器ケースの電池収容部は、通知部と共に電気機器ケースの前面に配置されて、前方から電池交換が可能であることを特徴とする。
この構成によれば、電気機器ケースの前面に電池収容部が配置されるため、電池の交換がし易く、交換の度に壁面から電気機器を外す必要がない。
【０００９】
請求項４の発明は、請求項３に記載の構成において、電池収容部は蓋部材により施蓋され、蓋部材は、弾性を有して電気機器ケースへの係止／係止解除操作が容易な係止片を有することを特徴とする。
この構成によれば、弾性を利用して蓋部材の係止／係止解除操作を実施でき、電池交換が容易である。
【００１０】
請求項５の発明は、請求項４に記載の構成において、電池収容部は、電気機器ケースに開口部を設けて形成されると共に、電気機器ケースは収容する電池より薄く形成される一方、電池収容部の背部となる壁面は、切り欠かれて穴が形成されて成り、電池収容部に収容された電池の一部が、穴に入り込んで収容されることを特徴とする。
この構成によれば、電池を組み込んでも電気機器ケースを薄くでき、壁面に設置しても美感上好ましい。
【００１１】
請求項６の発明は、請求項４に記載の構成において、電池収容部は、電気機器ケースに凹部を設けて形成されると共に、電気機器ケースは収容する電池より薄く形成される一方、電池収容部の背部となる壁面は、切り欠かれて穴が形成されて成り、
凹部の一部が穴に入り込むよう後方に突出して形成され、電池の一部が穴を使用して収容されることを特徴とする。
この構成によれば、電池を組み込んでも電気機器ケースを薄くでき、壁面に設置しても美感上好ましい。
【００１２】
請求項７の発明は、請求項４乃至６の何れかに記載の構成において、蓋部材の係止片は、電気機器ケースの内部方向にＵ字状に突出形成された弾性部を有し、電池収容部には弾性部を収容する空間を有することを特徴とする。
この構成によれば、Ｕ字状に形成された弾性部により係止片には十分な弾性を持たせることができ、蓋部材の着脱がし易い。
【発明の効果】
【００１３】
本発明によれば、電池の容量が少なくなったらそれが通知されるため、交換時期を認識でき電池管理がし易い。また、非常用電源として使用される電池は、その有無が目視で確認できない状態であっても通知されるため、停電等非常時になって電池が収容されていないことに初めて気づくような事態を防止できる。
【図面の簡単な説明】
【００１４】
【図１】本発明に係る壁面設置型の表示ユニットの一例を示し、（ａ）は正面図、（ｂ）は右側面図である。
【図２】表示ユニットのブロック図である。
【図３】蓋部材を示し、（ａ）は正面図、（ｂ）は右側面図である。
【発明を実施するための形態】
【００１５】
以下、本発明を具体化した実施の形態を、図面を参照して詳細に説明する。図１，２は本発明に係る電気機器の一例を示し、家庭での電力の使用状況を表示する表示ユニットを示している。図１は外観図を示し、（ａ）は正面図、（ｂ）は右側面図であり、図２は機能ブロック図を示している。表示ユニット１は、ケース１０の前面に各種情報を表示する表示部としてのＬＣＤ１１、報音部としてのスピーカ１２、表示変更操作等各種操作をするための複数の操作ボタン１３、電池収容部１４等が設けられている。
【００１６】
尚、図１では操作ボタン１３の内部に配置されているスイッチ３ａが露出しており、このケース１０全体が図示しない化粧板で覆われて、その際スイッチが操作ボタンを構成するカバーで覆われる。また、Ｗは壁面、Ｔは壁面Ｗに形成された穴を示し、ケース１０は壁面Ｗの穴Ｔ内に配置された図示しないスイッチボックスに、図示しない取付金具を介して取りつけられる。
そして、４カ所設けられた凹部１５はケース１０を取付金具にねじ止めするねじ止め部であり、電池収容部１４はＬＣＤ１１に隣接するケース１０の前面に配置されている。
【００１７】
ケース１０内には、図２に示すように商用電源２に接続された電源部１６、電池１７、電池１７の存在を検知する電池センサ１７ａ、外部機器３と通信するシリアル通信部１８、表示或いは報音するメッセージ等を記憶するメモリ１９ａを具備したＭＣＵから成る制御部１９、音声合成部２０等が収容されている。
【００１８】
ＬＣＤ１１には、シリアル通信部１８に接続された外部機器３から送信された使用電力情報等が表示されるし、電源の状況が変化したら制御部１９の制御により後述する情報が表示される。またスピーカ１２は、ブザー音をはじめ、メモリ１９ａに記憶されているメッセージが音声合成部２０で合成されて報音される。このＬＣＤ１１とスピーカ１２とで通知部を構成している。
【００１９】
そして、この表示ユニット１は、通常は商用電源２により駆動されるが、停電になると電源が電池１７に切り替わり停止することなく動作が継続される。
【００２０】
このように構成された表示ユニット１の電池１７の管理は、以下のように実施される。制御部１９は、電池１７の状態を定期的に監視しており、残容量が所定量以下になったらＬＣＤ１１にその旨を表示させ、同時にスピーカ１２から所定のメッセージを報音させる。例えば、「電池の容量が僅かです。交換をお勧めします」のメッセージがＬＣＤ１１に表示され、同様のメッセージがスピーカ１２から報音される。尚、電池残量を判定する所定量は、例えば設定された停電補償時間で設定され、これが３０分であれば表示ユニットを３０分動作させる容量が無いと判断したら通知動作させる。
【００２１】
また、電池１７自体が電池収容部１４内に存在しなければ、それを電池センサ１７ａが検知して制御部１９に通知される。制御部１９は、電池センサ１７ａの情報を受けてＬＣＤ１１にその旨を表示させ、スピーカ１２から所定のメッセージを報音させる。例えば、「電池がセットされていません。確認してください」のメッセージがＬＣＤ１１に表示され、同様のメッセージがスピーカ１２から報音される。
【００２２】
尚、このＬＣＤ１１の表示及びスピーカ１２の報音は、操作ボタン１３の所定の操作で停止するが、スピーカ１２の報音のみ停止させて、表示は継続させても良い。また、一定時間が経過したら、再度表示や報音を再開させても良い。
【００２３】
このように、電池１７の容量が少なくなったらそれがＬＣＤ１１に表示され、またスピーカ１２から報音されるため、交換時期を認識でき電池管理がし易い。また、電池１７の有無が目視で確認できない状態であっても、表示されるため、停電等非常時になって電池１７が収容されていないことに初めて気づくような事態を防止できる。
【００２４】
次に、上記表示ユニットの電池１７の収納形態を説明する。電池収容部１４は、次のような形状となっている。電池収容部１４は、開口部１４ａを設けて形成され、電池１７全体を収容するよう形成されている。そして、電池のプラス極側となる開口部１４ａの一端は拡張されて広く形成され、後述する蓋部材５の係止片５３の一部を成す弾性部５３ａを収容する空間Ｓを有して形成されている。
尚、図１（ｂ）に示すように、電池１７はこの壁面Ｗに形成された穴Ｔに一部が入り込むように収容される。
【００２５】
図３は電池収容部１４を閉塞する蓋部材５を示し、（ａ）は正面図、（ｂ）は右側面図である。図３に示すように、蓋部材５は開口部１４ａを閉塞する長方形板状の閉塞板５１の長手方向一端に、ケース１０に係止する係止爪５２を有し、他端には弾性を有し同様にケース１０に係止する係止突起５３ｂを有する係止片５３が設けられている。係止片５３は、ケース１０の内部方向となる後方に向けてＵ字状に折り曲げ形成された弾性部５３ａが突出形成され、この弾性を利用して開口部１４ａ端部のケース１０に係止／係止解除するよう構成されている。
また、ケース１０は、収容する電池１７の直径より薄く形成されており、電池１７の一部は壁面Ｗの穴Ｔに収容される。尚、収容された電池１７は、図示しない係止金具で位置決めされ、壁面Ｗ内に全体が入り込むようなことがない。
【００２６】
このように、表示ユニット１のケース１０の前面に電池収容部１４が配置されるため、電池１７の交換がし易く、交換の度に壁面から表示ユニットを外す必要がない。
また、係止片５３は大きな弾性部５３ａを備えることで十分な弾性を有し、蓋部材５の係止／係止解除操作、即ち着脱操作を容易に実施でき、電池交換がし易い。
更に、電池１７を収納しても、電池１７の一部は壁面Ｗに入り込んで収容されるため、ケース１０を薄くでき、壁面に設置しても美感上好ましい。
【００２７】
尚、上記実施形態は、電池１７をバックアップ電源としている場合を説明したが、駆動電源として常時電池１７を使用する表示ユニットの場合は、電池１７が無ければ表示ユニット自体が動作しないため、電池センサ１７ａは必要ない。
また、電池収容部１４は、開口部１４ａを形成して電池１７を収容しているが、背面を有する凹部として形成しても良い。この場合、凹部をケース１０の後方に突出させて壁面Ｗに形成された穴Ｔに入り込む形状とし、開口部１４ａと同様に穴Ｔを利用して電池１７を収納すれば、同様にケース１０を薄い形状にできる。
更に、電池１７の状態の通知をＬＣＤ１１の表示とスピーカ１２の報音の双方で実施しているが、何れか一方のみでも良い。
また、電池１７が存在しないことは電池センサ１７ａを設けて検知しているが、電池センサ１７ａを使用せずに電圧が０ボルトの場合を電池無しと判断させても良い。
【符号の説明】
【００２８】
１・・表示ユニット（電気機器）、１０・・ケース（電気機器ケース）、１１・・ＬＣＤ（表示部）、１２・・スピーカ（報音部）、１４・・電池収容部、１４ａ・・開口部、１７・・電池、１９・・制御部（電源判定部）、５３ａ・・弾性部、Ｓ・・空間、Ｔ・・穴。
【図１】
2019110636.tif 000003
【図２】
2019110636.tif 000004
【図３】
2019110636.tif 000005